(57)【要約】【課題】  右利き又は左利きであっても子供から大人までゴルフパッドの練習を楽しむことができるゴルフのパッド練習具を提供する。【解決手段】  ゴルフクラブ１０を使用してゴルフボール２６を目標の位置に配置したゴルフボール止め３０に向けて打つゴルフのパッド練習具であって、ゴルフクラブ１０は、シャフト１１の端部に設けられた取付け具１５に、ゴルフボール２６を打つための殴打面が異なる形状で複数形成されたヘッド部２０が、その殴打面を変更自在に装着されている。【選択図】        図１
2009112609.tif 000002
【特許請求の範囲】
【請求項１】
ゴルフクラブを使用してゴルフボールを目標の位置に配置したゴルフボール止めに向けて打つゴルフのパッド練習具であって、
前記ゴルフクラブは、シャフトの端部に設けられた取付け具に、前記ゴルフボールを打つための殴打面が異なる形状で複数形成されたヘッド部が、その殴打面を変更自在に装着されていることを特徴とするゴルフのパッド練習具。
【請求項２】
前記ヘッド部の殴打面は、凸面部、凹面部、平面部のいずれかに形成されていることを特徴とする請求項１記載のゴルフボールのパッド練習具。
【請求項３】
前記シャフトは、長さ調整自在に形成されていることを特徴とする請求項１記載のゴルフボールのパッド練習具。
【請求項４】
前記ゴルフボール止めは、前記ゴルフボールが当接される円柱状の当接部に形成されているとともに、その当接部の外周面に磁石片が設けられ、かつ前記ゴルフボールの表面には前記ゴルフボール止めの当接部の外周面に当接したとき前記磁石片に吸着する金属片が取付けられていることを特徴とする請求項１記載のゴルフボールのパッド練習具。
【請求項５】
前記ゴルフボール止めは、上側の開口に蓋が設けられるとともに、前記ゴルフボールが当接される円柱ケース状の当接部に形成され、その円柱ケース状の当接部の周面に磁石片が設けられ、かつ前記ゴルフボールの表面には前記円柱ケース状の当接部の周面に当接したとき前記磁石片に吸着する金属片が取付けられていることを特徴とする請求項１記載のゴルフボールのパッド練習具。
【請求項６】
前記ゴルフボール止めは、ケース状の円柱部に形成されるとともに、その円柱部の側面に打たれたゴルフボールが入る大きさの進入口となる開口部が形成され、この開口部には前記ゴルフボールが入るときに押されて開くカバー部が上部から吊下げられていることを特徴とする請求項１記載のゴルフボールのパッド練習具。
【請求項７】
前記円柱部には、前記開口部の空間を塞いで前記ゴルフボールの進入を制限する進入制限突部が形成されたゴルフボール進入制限部が装着自在に設けられていることを特徴とする請求項６記載のゴルフボールのパッド練習具。
【発明の詳細な説明】
【技術分野】
【０００１】
本発明は、ゴルフのパッド練習を子供から大人まで簡単に楽しむことができるゴルフのパッド練習具に関するものである。
【背景技術】
【０００２】
従来、例えば、ゴルフのパッド練習を行うには、一般的に使用されているゴルフクラブを用いて所定の位置までゴルフボールを打っていた。このようなゴルフクラブは、手で握るグリップが設けられたシャフトの端部にヘッドが設けられたものであり、ゴルフボールを打つ部分であるヘッドの形状も一般的な形状のものとなっている。
【０００３】
このような従来のゴルフクラブでは、ヘッド部分のゴルフボールを打つ部分の形状が、一方の側面側に設けられた構造になっているため、右利きの人が使用するゴルフクラブを左利きの人が使用することができなかった。また、シャフトも一定の長さに形成されているため、例えば、大人が使用するゴルフクラブを子供が使用してゴルフパッドの遊びをすることができなかった。この種の従来のゴルフクラブの構造に関して、例えば、ゴルフ体験遊戯玩具が知られているものである（例えば、特許文献１参照）。
【０００４】
【特許文献１】特開平１１−１０４３５８号公報
【発明の開示】
【発明が解決しようとする課題】
【０００５】
本発明は上記事情に鑑みなされたもので、右利き又は左利きであっても子供から大人までゴルフパッドの練習を楽しむことができるゴルフのパッド練習具を提供することを目的とする。
【課題を解決するための手段】
【０００６】
上記目的を達成するために請求項１に記載の発明にあっては、ゴルフクラブを使用してゴルフボールを目標の位置に配置したゴルフボール止めに向けて打つゴルフのパッド練習具であって、前記ゴルフクラブは、シャフトの端部に設けられた取付け具に、前記ゴルフボールを打つための殴打面が異なる形状で複数形成されたヘッド部が、その殴打面を変更自在に装着されていることを特徴とするものである。ゴルフクラブが、ゴルフボールを打つための殴打面が異なる形状で複数形成され、その殴打面を変えて装着できるようになっていることで、右利きあるいは左利きに関らず色々な殴打面を使用してパッド練習が可能になる。
【０００７】
請求項２に記載の発明にあっては、前記ヘッド部の殴打面は、凸面部、凹面部、平面部のいずれかに形成されていることを特徴とするものである。ゴルフクラブの凸面部、凹面部、平面部のいずれか使用してパッド練習ができる。
【０００８】
請求項３に記載の発明にあっては、前記シャフトは、長さ調整自在に形成されていることを特徴とするものである。ゴルフクラブのシャフトが長さ調整可能になっていることで、大人から子供までパッド練習を楽しむことができる。
【０００９】
請求項４に記載の発明にあっては、前記ゴルフボール止めは、前記ゴルフボールが当接される円柱状の当接部に形成されているとともに、その当接部の外周面に磁石片が設けられ、かつ前記ゴルフボールの表面には前記ゴルフボール止めの当接部の外周面に当接したとき前記磁石片に吸着する金属片が取付けられていることを特徴とするものである。ゴルフクラブで金属片が取付けられているゴルフボールを、磁石片が設けられたゴルフボール止めに向けて打つことで、ゴルフボールをゴルフボール止めに吸着させて練習することができる。
【００１０】
請求項５に記載の発明にあっては、前記ゴルフボール止めは、上側の開口に蓋が設けられるとともに、前記ゴルフボールが当接される円柱ケース状の当接部に形成され、その円柱ケース状の当接部の周面に磁石片が設けられ、かつ前記ゴルフボールの表面には前記円柱ケース状の当接部の周面に当接したとき前記磁石片に吸着する金属片が取付けられていることを特徴とするものである。ゴルフクラブで金属片が取付けられているゴルフボールを、磁石片が設けられたゴルフボール止めに向けて打つことで、ゴルフボールをゴルフボール止めに吸着させて練習することができるとともに、ゴルフボールをケースに収納することができる。
【００１１】
請求項６に記載の発明にあっては、前記ゴルフボール止めは、ケース状の円柱部に形成されるとともに、その円柱部の側面に打たれたゴルフボールが入る大きさの進入口となる開口部が形成され、この開口部には前記ゴルフボールが入るときに押されて開くカバー部が上部から吊下げられていることを特徴とするものである。ゴルフボールは開口部からカバー部を押し開けて収納部の内部に進入することでゴルフのパッド練習をすることができる。
【００１２】
請求項７に記載の発明にあっては、前記円柱部には、前記開口部の空間を塞いで前記ゴルフボールの進入を制限する進入制限突部が形成されたゴルフボール進入制限部が装着自在に設けられていることを特徴とするものである。進入制限突部が進入口を狭くしてゴルフボールが転がって入るときの進入口を小さくしてゴルフのパッド練習をすることができる。
【発明の効果】
【００１３】
ゴルフクラブを使用してゴルフボールを目標の位置に配置したゴルフボール止めに向けて打つゴルフのパッド練習具であって、ゴルフクラブは、シャフトの端部に設けられた取付け具に、ゴルフボールを打つための殴打面が異なる形状で複数形成されたヘッド部が、その殴打面を変更自在に装着されていることを特徴とするものである。ゴルフクラブが、ゴルフボールを打つための殴打面が異なる形状で複数形成され、その殴打面を変えて装着されていることで、右利き又は左利きであっても子供から大人までゴルフパッドの練習を楽しむことができる。
【発明を実施するための最良の形態】
【００１４】
以下、本発明を図示の一実施形態により具体的に説明する。図１〜図８は本発明第１案実施形態のゴルフのパッド練習具を説明する図であり、図１はゴルフのパッド練習具を説明する全体斜視図、図２はゴルフクラブのヘッド部分の分解斜視図、図３は打つ面を突面部としたヘッド部の斜視図、図４は打つ面を凹面部としたヘッド部分の斜視図、図５は打つ面を平面部としたヘッド部分の斜視図、図６はシャフトを短くした状態のゴルフクラブの斜視図、図７はゴルフボールを説明する図、図８はゴルフボール止め及びゴルフボールの断面図である。
【００１５】
図１に示すように、ゴルフのパッド練習具１のゴルフクラブ１０は、シャフト１１の端部にヘッド１４として、取付け具１５が設けられ、この取付け具１５にヘッド部２０がゴルフボール２６を打つための面を変えることができるように取付けられているものである。このゴルフクラブ１０によるパッド練習では、ゴルフボール２６をヘッド部２０に当てて近傍に配置したゴルフボール止め３０に向けて打つようになっている。
【００１６】
ゴルフクラブ１０のシャフト１１は、例えば、一般的なゴルフクラブに使用される材料等で形成することができ、一方の端部側はゴルフクラブ１０を人が手で持つためのグリップ部１２に形成され、このグリップ部１２と取付け具１５との間は、ほぼ同じ程度の長さに形成された第１の軸１３ａと、第２の軸１３ｂとから構成されている。このシャフト１１は、図６に示すように、第２の軸１３ｂを第１の軸１３ａの中に差し込んで固定することができ、全体として短くして使用することができるようになっている。
【００１７】
ヘッド１４の取付け具１５は、例えば、プラスチックあるいは木等の材料からなり、一方側がやや幅を狭くて形成されて全体としてほぼ長方形の板状に形成されたものである。この取付け具１５の幅を狭くした部分側の上部に第２の軸１３ｂの端部が固定され、この第２の軸１３ｂの他端部側がやや上方に傾斜された状態となっている。この取付け具１５の第２の軸１３ｂが取付けられていない下面側は、例えば、十字状で下側に突起された取付け固定部１７が形成され、また前側のほぼ中央部には、表面から下面の取付け固定部１７まで貫通する取付け孔１６が形成されている。このような取付け固定部１７の形状は、後に詳細に説明するヘッド部２０の取付け固定部２２との関係で任意に形成することができるが、例えば、先端が尖った断面が３角形状の凸面に形成することができる。取付け孔１６は、ヘッド部２０に取付けられるネジ棒２１が挿入され、このネジ棒にネジ止め１８を差し込んで固定できるようになっている。
【００１８】
ヘッド部２０は、プラスチックあるいは木等の材料からなり、例えば、ほぼ直方体状に形成されている。このヘッド部２０の上面は、十字状の溝形に形成された取付け固定部２２が形成され、また中央部には表面から上部に突起したネジ棒２１が取付けられている。この取付け固定部２２は、尖った形状に形成された取付け具１５の取り付け固定部１７が係入される、例えば、断面が３角形状の凹面に形成することができる。このヘッド部２０の側面は、ゴルフボール２６を当てるための面であり、ほぼ直方体状に形成された４つの側面は、突起状の球面に形成された凸面部２３、この凸面部２３の反対側の面が凹面部２４、他の２つの面が平面部２５，２５に形成されている。このようなヘッド部２０の側面の凸面部２３、凹面部２４、平面部２５，２５の形状や傾斜角度に関してはゴルフボール２６に合わせて任意に形成することができる。
【００１９】
ゴルフボール２６は、一般的に使用されている大きさ、形状及び材料を有するものであり、表面には磁石に吸引する材料からなる板状の金属部２７が多数均一に取り付けられているものである。このような金属部２７は、その表面がゴルフボール２６の球面に露出され、また使用中に外れないように、例えば、金属のネジ棒を頭部が表面に一致するように取り付けるようにすることができる。
【００２０】
ゴルフボール止め３０は、パッド練習するときに地面等に配置してゴルフボール２６が十分の幅をもって当接される大きさで、例えば、高さがゴルフボール２６の大きさとほぼ同じ程度で、外径が、例えば、１５〜２５ｃｍ程度で短いリング状の当接部３１に形成することができる。このゴルフボール止め３０の当接部３１は、任意の材料で形成することができるが、例えば、プラスチック材料を使用した場合には、厚さが１〜２ｃｍの円柱状に形成したものを使用することができる。この当接部３１の外周面は、ゴルフボール２６が当接される部分に磁石片３３が配置され、その磁石片３３の表面はカバー３４で覆われている。また、当接部３１の地面に接して配置される部分には、ゴルフボール止め３０にゴルフボール２６が当たっても動かないように、地面にくい込むような突起部３２に形成されている。さらに、当接部３１には、ゴルフボール２６が当たっても動かないように、上部から挿入して地面に抜き差しできる固定軸３５が設けられるようになっている。この固定軸３５は、例えば、当接部３１の上部側から地面に当接される部分まで孔が３箇所程度形成され、この孔に抜き差し自在な固定軸３１が地面まで差し込めるようになっているものである。
【００２１】
上記構成のゴルフのパッド練習具１では、ゴルフクラブ１０のヘッド１４を、例えば、図３に示すように、凸面部２３を打つ面になるよう、ネジ止め１８を緩めて取付け具１５の取付け固定部１７を、ヘッド部２０の取付け固定部２２に合わせてネジ止め１８をネジ棒２１に締め付けて固定する。これにより、右利きの人がゴルフボール２６を凸面部２３で打つことができるようになる。また、同様にして、ゴルフクラブ１０のヘッド１４を、図４に示すように打つ面を凹面部２４になるように、あるいは図５に示すように打つ面を平面部２５になるようにすることができる。さらに、、左利きの人が使用する場合には、同様にしてゴルフクラブ１０のヘッド１４の打つ面を凸面部２３、凹面部２４あるいは平面部２５にすることができる。
【００２２】
次に、ゴルフクラブ１０のヘッド１４の打つ面を凸面部２３、凹面部２４あるいは平面部２５にして、ゴルフのパッド練習を行うときには、地面の任意の場所にゴルフボール止め３０を配置し、ゴルフクラブ１０でゴルフボール２６をゴルフボール止め３０に向けて打つ。ゴルフボール２６がゴルフボール止め３０の当接部３１に当たったときには、その外周表面部分に設けられた磁石片３３により、ゴルフボール２６の表面に設けられた金属部２７が吸着される。これにより、ゴルフクラブ１０のヘッド１４の打つ面を凸面部２３、凹面部２４あるいは平面部２５にして、ゴルフボール止め３０を狙いとしてゴルフのパッド練習を行うことができる。また、ゴルフボール止め３０は、下面が地面にくい込むような突起部３２に形成されているため、ゴルフボール２６が強く当接部３１の外周面に当たっても動いたりすることがない。
【００２３】
このようなゴルフのパッド練習具１では、右利きあるいは左利きの人に合わせて、ゴルフクラブ１０のゴルフボール２６を打つための面を凸面部２３、凹面部２４あるいは平面部２５に変えることができ、またシャフト１１の長さも第２の軸１３ｂを第１の軸１３ａの中に差し込んで固定することで、使用する人に合わせて長さ調整ができることで、子供から大人までゴルフのパッド練習を簡単に楽しむことができる。さらに、ゴルフボール２６には、金属部２６が設けられ、ゴルフボール止め３０の当接部３１の表面に当たったときには、その表面部分に設けられた磁石片３３にゴルフボール２６の表面の金属部２７が吸着されることで、目標の方向に向けて打てたことを確認することができる。
【００２４】
図９は本発明第２実施形態のケース状に形成されたゴルフボール止め及びゴルフボールの断面図である。
【００２５】
この第２実施形態のゴルフボール止め４０は、上側が開口したケース状に形成された当接部４１に形成され、この当接部４１の上部の開口には、中央部に紐４６が設けられた蓋４５が開閉自在に取り付けられるようになっている。この当接部４１の下部側周縁は、突起部４２に形成されている。また、第１実施形態のゴルフボール止め３０と同様に、当接部４１の外周面には磁石片４３が設けられ、この磁石片４３の表面がカバー４４で覆われている。
【００２６】
上記構成のゴルフボール止め４０では、第１実施形態と同様のゴルフクラブ１０とゴルフボール２６とを使用して、ゴルフボール止め４０に向けてゴルフボール２６を打ち、当接部４１の表面に設けられた磁石４３にゴルフボール２６の金属部２７を吸着させることで、パッド練習を楽しむことができる。この第２実施形態のゴルフボール止め４０では、当接部４１に紐４６を設けた蓋４５が設けられていることで、ケース状の当接部４１内にゴルフボール２６を収納して、蓋４５を閉じて紐４６を持って運ぶことができる。
【００２７】
図１０〜図１２は本発明第３実施形態のゴルフボール止めを説明する図であり、第１０図はゴルフボール進入制限部を上に向けて取付けたゴルフボール止めの断面図、第１１図はゴルフボール進入制限部を上に向けて取付けたゴルフボール止めの正面図、図１２はゴルフボール進入制限部を下に向けて取付けたゴルフボール止めの正面図である。
【００２８】
この第３実施形態のゴルフボール止め５０は、パッド練習するときに地面等に配置して、ゴルフクラブ１０で打ったゴルフボール２６が収納される十分な大きさの円柱状の収納部５１を有するものである。この収納部５１は、任意の材料で形成することができるが、例えば、プラスチック材料を使用した場合には、外径が１５〜２０ｃｍ、高さが８〜１２ｃｍ程度の円柱状で、厚さが１〜２ｃｍ程度のものが使用することができる。この収納部５１の一方の側面には、下端部から６〜８ｃｍ程度の長さで、横幅が１０〜１２ｃｍ程度の進入口５２が形成され、この進入口５２の上端部に、例えば、小さい金属のリング状に形成された一対の吊下げ具５３，５３が取付けられている。この進入口５２には、横幅がこの進入口５２よりやや小さく、縦の長さが進入口５２の縦の長さより十分大きい、例えば、７〜９ｃｍ程度の長さで、透明なプラスチック板等からなる平板状に形成されたカバー部５４が下端部側が収納部５１内になるよう、上端部に形成された取付け部５９，５９をそれぞれ吊下げ具５３，５３に挿入することで取付けられている。進入口５２上部の収納部５１の表面には、磁石片５５が取付けられている。また、収納部５１の上端部側には、ゴルフボール進入制限部６０が取付けられている。このゴルフボール進入制限部６０は、例えば、プラスチック等の板材等から全体として収納部５１の上端部に装着される形状に形成されている。すなわち、このゴルフボール進入制限部６０は、収納部５１の上端部側の外周部に装着される円筒状の取付け部５６が設けられ、この取付け部５６の進入口５２に対応する部分に、例えば、先端が尖った形状の進入制限突部５７が形成されたものである。また、この進入制限突部５７が形成された側の取付け部５６には、収納部５１の進入口５２の上部に取付けられた磁石片５５に吸着する金属片５８が取付けられている。すなわち、ゴルフボール進入制限部６０は、取付け部５６側を収納部５１の上端部に挿入して、磁石片５５に金属片５８を吸着させることで、装着できるようになっている。このゴルフボール進入制限部６０は、その進入制限突部５７を上部側及び下部側に向けて取付けられるようになっている。図１１に示すように、進入制限突部５７が収納部５１の上部側に位置するように取付けることができ、また図１２に示すように、進入制限突部５７が、進入口５２の上部側を覆うよう取付けることができるようになっている。すなわち、ゴルフボール進入制限部６０を、その進入制限突部５７が収納部５１の上部側に位置するように取付けることで、進入制限突部５７が進入口５２を制限することがなく、その進入制限突部５７が進入口５２の上部側に位置するように取付けることで、ゴルフボール２６が転がって入るときの進入口５２を小さく制限できるようになっている。なお、進入制限突部５７は、少なくともゴルフボール２６の開口部５２への進入を制限できる形状に形成されていればよく、任意の形状に形成することができる。
【００２９】
上記構成のゴルフボール止め５０では、図１１及び図１２に示すように、ゴルフボール進入制限部６０を、進入制限突部５７を収納部５１の上部側に位置するように取付けることで、ゴルフボール２６を開口部５２が形成された部分に向けて打つと、ゴルフボール２６は開口部５２からカバー部５４を押し開けて収納部５１の内部に進入させることでゴルフのパッド練習をすることができる。次に、ゴルフボール進入制限部６０を、その進入制限突部５７が収納部５１の上部側に位置するように取付けることで、進入制限突部５７が進入口５２を狭くしてゴルフボール２６が転がって入るときの進入口５２を小さくして、その小さくした進入口５２に向けて収納部５１の内部に進入させることでゴルフのパッド練習をすることができる。なお、第３実施形態のゴルフボール止め５０によりパッド練習する場合には、ゴルフボール２６が進入口５２からカバー部５４を押し開けて内部に進入するため、通常のゴルフボールを使用することができる。
【００３０】
なお、本発明の第１実施形態において説明したゴルフクラブ１０のヘッド部２０のゴルフボールを打つ面の形状は、凸面部２３、凹面部２４、平面部２５，２５は、ゴルフパッドの練習に適した任意の形状に形成でき、実施形態に限定されない。また、第１実施形態のゴルフボール止め３０、第２実施形態のゴルフボール止め４０及び第３実施形態のゴルフボール止め５０の大きさ、形状、材質は必要に応じて任意に形成することがでる。さらに、第２実施形態における当接部４１及び第３実施形態における収納部５１は、第１実施形態の当接部３１と同様にゴルフボール２６が当たっても動かないように抜き差し自在な固定軸３５が地面まで差し込めるようにしてもよい。
【産業上の利用可能性】
【００３１】
ゴルフのパッド練習をすることができるゴルフのパッド練習具に利用することができる。
【図面の簡単な説明】
【００３２】
【図１】本発明第１案実施形態のゴルフのパッド練習具を説明する全体斜視図である。
【図２】本発明第１案実施形態のゴルフクラブのヘッド部分の分解斜視図である。
【図３】本発明第１案実施形態の打つ面を突面部としたヘッド部の斜視図である。
【図４】本発明第１案実施形態の打つ面を凹面部としたヘッド部分の斜視図である。
【図５】本発明第１案実施形態の打つ面を平面部としたヘッド部分の斜視図である。
【図６】本発明第１案実施形態のシャフトを短くした状態のゴルフクラブの斜視図である。
【図７】本発明第１案実施形態のゴルフボールを説明する図である。
【図８】本発明第１案実施形態のゴルフボール止め及びゴルフボールの断面図である。
【図９】本発明第２実施形態のケース状に形成されたゴルフボール止め及びゴルフボールの断面図である。
【図１０】本発明第３実施形態のゴルフボール進入制限部を上に向けて取付けたゴルフボール止めの断面図断面図である。
【図１１】本発明第３実施形態のゴルフボール進入制限部を上に向けて取付けたゴルフボール止めの正面図である。
【図１２】本発明第３実施形態のゴルフボール進入制限部を下に向けて取付けたゴルフボール止めの正面図である。
【符号の説明】
【００３３】
１  ゴルフのパッド練習具
１０  ゴルフクラブ
１１  シャフト
１２  グリップ部
１３ａ  第１の軸
１３ｂ  第２の軸
１４  ヘッド部
１５  取付け具
１６  取付け孔
１７  取付け固定部
１８  ネジ止め
２０  ヘッド部
２１  ネジ棒
２２  取付け固定部
２３  凸面部
２４  凹面部
２５  平面部
２６  ゴルフボール
２７  金属部
３０  ゴルフボール止め
３１  当接部
３２  突起部
３３  磁石片
３４  カバー
３５  固定軸
４０  ゴルフボール止め
４１  当接部
４２  突起部
４３  磁石片
４４  カバー
４５  蓋
４６  紐
５０  ゴルフボール止め
５１  収納部
５２  進入口
５３  吊下げ具
５４  カバー部
５５  磁石片
５６  取付け部
５７  進入制限突部
５８  金属片
５９  取付け部
６０  ゴルフボール進入制限部
【図１】
2009112609.tif 000003
【図２】
2009112609.tif 000004
【図３】
2009112609.tif 000005
【図４】
2009112609.tif 000006
【図５】
2009112609.tif 000007
【図６】
2009112609.tif 000008
【図７】
2009112609.tif 000009
【図８】
2009112609.tif 000010
【図９】
2009112609.tif 000011
【図１０】
2009112609.tif 000012
【図１１】
2009112609.tif 000013
【図１２】
2009112609.tif 000014